(57)【要約】  発光物体が、ゴム引きされた外側本体と、外側本体の空洞にある栓と、栓に配置された照明デバイスと、を含む。発光物体は、栓に配置された第１の内側カプセル部品と、外側本体の空洞に配置された第２の内側カプセル部品であって、第１の内側カプセル部品と係合する形状とされた第２の内側カプセル部品と、をさらに含む。第１および第２の内側カプセルは、組み合わさるようにねじ山を有する。外側本体は、外側本体の複数の周囲を囲むように延びる溝を含む。外側本体は、おおよそ野球用ボールの大きさを有する。外側本体は、おおよそ球体のような形状とされる。溝は、外側本体において少なくとも５ｍｍの深さである。【選択図】図１
2019506990.tif 000002
【特許請求の範囲】
【請求項１】
ゴム引きされた外側本体と、
前記外側本体の空洞にある栓と、
前記栓に配置された照明デバイスと、
を備える、発光物体。
【請求項２】
前記栓に配置された第１の内側カプセル部品と、
前記外側本体の前記空洞に配置された第２の内側カプセル部品であって、前記第１の内側カプセル部品と係合する形状とされた第２の内側カプセル部品と、
をさらに含む、請求項１に記載の発光物体。
【請求項３】
前記第１および第２の内側カプセルが、組み合わさるようにねじ山を有する、請求項２に記載の発光物体。
【請求項４】
前記第１の内側カプセルが、前記栓に固定される、請求項３に記載の発光物体。
【請求項５】
前記栓が、前記第１の内側カプセル上にオーバモールドされる、請求項４に記載の発光物体。
【請求項６】
前記第２の内側カプセルが、前記空洞に固定される、請求項５に記載の発光物体。
【請求項７】
前記外側本体が溝を含み、前記溝が、前記外側本体の複数の周囲を取り囲むように延びる、請求項１に記載の発光物体。
【請求項８】
前記外側本体が、おおよそ野球用ボールの大きさを有し、前記外側本体が、おおよそ球体のような形状とされ、前記溝が、前記外側本体において少なくとも５ｍｍの深さである、請求項７に記載の発光物体。
【請求項９】
前記溝が、少なくとも１ｃｍの深さであり、前記溝が、前記外側本体の周囲を囲むように配置される、請求項８に記載の発光物体。
【請求項１０】
前記栓および第１の内側カプセルにトルクを印加するためにねじ回しヘッドがくぼみを通して切欠き部に配置され得るように、前記栓が前記くぼみを含み、前記第１のカプセルが前記切欠き部を含み、前記切欠き部が前記くぼみに位置合わせされる、請求項６に記載の発光物体。
【請求項１１】
前記栓および前記外側本体が、半透明のＴＰＲで構成される、請求項１０に記載の発光物体。
【請求項１２】
前記第１および第２の内側カプセルが、ポリカーボネートで構成される、請求項１１に記載の発光物体。
【請求項１３】
前記照明デバイスが、ＬＥＤを含む、請求項１に記載の発光物体。
【請求項１４】
前記照明デバイスが、前記ＬＥＤに接続された制御盤を含み、前記制御盤が、第１の衝撃またはより大きな衝撃が前記制御盤によって測定されたときに前記ＬＥＤを第１の期間にわたって第１の動作モードで作動させるためのコードを含みかつ実行する、請求項１３に記載の発光物体。
【請求項１５】
前記制御盤が、前記第１の衝撃を測定するための第１の加速度計および第２の加速度計を含む、請求項１４に記載の発光物体。
【請求項１６】
前記第１の期間の後、前記ＬＥＤが、第２の期間にわたって第２の動作モードで作動される、請求項１４に記載の発光物体。
【請求項１７】
前記第２の期間の後、前記ＬＥＤが、作動停止される、請求項１６に記載の発光物体。
【請求項１８】
いかなる時でも、前記第１の衝撃またはより大きな衝撃が前記制御盤によって測定された場合には、前記第１の期間がリセットされて、前記ＬＥＤが第１の動作モードで作動される、請求項１７に記載の発光物体。
【発明の詳細な説明】
【技術分野】
【０００１】
【背景技術】
【０００２】
[0001]点灯する物体は、娯楽、気晴らし、および他の活動のための人気のデバイスである。デバイスの一般的な形態は、丸みを帯びた形状またはボール状のものである。これらのデバイスは、動物との使用のために設計されることが望ましい。また、これらのデバイスは、乱暴な扱い（ａｂｕｓｅｓ  ｏｆ  ｕｓａｇｅ）にもよく耐えることが望ましい。
【発明の概要】
【０００３】
[0002]１つの実施形態では、発光物体が、ゴム引きされた外側本体と、外側本体の空洞にある栓と、栓に配置された照明デバイスと、を含む。１つの代替形態では、発光物体は、栓に配置された第１の内側カプセル部品と、外側本体の空洞に配置された第２の内側カプセル部品であって、第１の内側カプセル部品と係合する形状とされた第２の内側カプセル部品と、をさらに含む。別の代替形態では、第１および第２の内側カプセルは、組み合わさるようにねじ山を有する。場合により、第１の内側カプセルは、栓に固定される。あるいは、栓は、第１の内側カプセル上にオーバモールドされる。場合により、第２の内側カプセルは、空洞に固定される。１つの構成では、外側本体は、外側本体の複数の周囲を取り囲むように延びる溝を含む。別の構成では、外側本体は、おおよそ野球用ボールの大きさを有する。外側本体は、おおよそ球体のような形状とされる。溝は、外側本体において少なくとも５ｍｍの深さである。あるいは、溝は、少なくとも１ｃｍの深さであり、また、溝は、外側本体の周囲を囲むように配置される。場合により、栓および第１の内側カプセルにトルクを印加するためにねじ回しヘッドがくぼみを通して切欠き部に配置され得るように、栓がくぼみを含み、第１の内側カプセルが切欠き部を含む。あるいは、栓および外側本体は、半透明の熱可塑化ゴム（ＴＰＲ：Ｔｈｅｒｍｏ  Ｐｌａｓｔｉｃｉｚｅｄ  Ｒｕｂｂｅｒ）で構成される。場合により、第１および第２の内側カプセルは、ポリカーボネートで構成される。１つの構成では、照明デバイスは、ＬＥＤを含む。別の構成では、照明デバイスは、ＬＥＤに接続された制御盤を含み、制御盤は、第１の衝撃またはより大きな衝撃が制御盤によって測定されたときにＬＥＤを第１の期間にわたって第１の動作モードで作動させるためのコードを含みかつ実行する。場合により、制御盤は、第１の衝撃を測定するための第１の加速度計および第２の加速度計を含む。あるいは、第１の期間の後、ＬＥＤは、第２の期間にわたって第２の動作モードで作動される。場合により、第２の期間の後、ＬＥＤは、作動停止される。別の代替形態では、いかなる時でも、第１の衝撃またはより大きな衝撃が制御盤によって測定された場合には、第１の期間がリセットされて、ＬＥＤが第１の動作モードで作動される。
【図面の簡単な説明】
【０００４】
【図１】[0003]動物のための強化された特徴を含む発光物体の１つの実施形態の図である。
【図２】[0004]図１の発光物体の別の図である。
【図３】[0005]図１の発光物体の別の図である。
【図４】[0006]図１の発光物体の分解組立図である。
【図５】[0007]図１の発光物体の栓部分の断面図である。
【図６】[0008]図１の発光物体の本体部分の断面図である。
【図７】[0009]図１の発光物体の蓋部分の一実施形態の図である。
【発明を実施するための形態】
【０００５】
[0010]本明細書において使用される特定の術語は、便宜のためだけのものであり、動物のための強化された特徴を含む発光物体の実施形態を限定するものととられるべきではない。図面において、いくつかの図を通して同一の要素を指定するために、同一の参照文字が用いられる。
【０００６】
[0011]図１は、動物のための強化された特徴を含む発光物体の１つの実施形態を示す。示された実施形態では、ボール１００が、熱可塑化ゴム（ＴＲＰ）乳白色４０＋／−３ショアＡ製の丸みを帯びた外殻を含む。物体は球状ボールで示されているが、（フットボールのような）細長い形状、角のある形状（長方形、正方形、または他の角柱もしくは他面の物体）を持つもの、または骨、小動物、などといった非ボール様の物体に似ている物体を含めて、他の設計が可能である。そのようなボール１００の使用者が有し得る１つの懸念は、物体が動物の口または喉に詰まってしまうことである。そのような状況では、ボール１００は、ボールを取り除くことができるまでのほんの短い時間、動物の呼吸に対応するのに役立つように設計される。この対応は、隆起部１１０および凹部１１５、１２０に起因する。
【０００７】
[0012]さらに、隆起部１１０および凹部１１５、１２０の設計は、本体１２５の残りの部分と比較すると、ボール１００の内部に配置された照明モジュールからの光がより多く透過する面積を提供する。ボール１００は、典型的には、ＴＰＲなどの半透明材料で作られる。しかし、他の多くの半透明材料、特に、耐久性がありかつ多少の弾力性を有してボール１００が弾むことを可能にする材料が使用され得る。さらに、本体１２５は他の領域において厚さを維持し得るので、隆起部１１０および凹部１１５、１２０を有することによってボール１００の耐久性が犠牲にされることはない。さらに、隆起部１１０および凹部１１５、１２０は、ボール１００のグリップを増大させて、動物がその口の中にボールを保持することをより容易にする。
【０００８】
[0013]図２は、ボール１００の異なる図を示す。この図では、空洞２３０および栓２１０が見られ、栓２１０は、くぼみ２２０を含む。栓２１０は、ボール１００を明るくする働きをする照明モジュールを保持する。くぼみ２２０は、空洞２３０から栓２１０を取り外すための手段を提供するのに役立つ。栓２１０は、空洞２３０に嵌合され、かつ、ねじ締めシステム（ｓｃｒｅｗ−ｔｉｇｈｔ  ｓｙｓｔｅｍ）を介して所定の位置に保持される。
【０００９】
[0014]図３は、ボール１００の別の図を示す。
[0015]図４は、空洞２３０から引き出された栓２１０を示す。栓２１０は、オーバモールドされたＴＰＲ部分４１０、およびポリカーボネート製のねじ部分４２０を含む。空洞２３０は、ねじ部分４２０を受け入れるための相反的なねじ部分（図示せず）を含む。いかなる場合でも、これらの部品に対して説明された材料は、例示的なものにすぎない。多くの実施形態において、ねじ部分は、ポリカーボネートなどのより堅い材料で作られ、ボールおよび栓は、ＴＰＲで作られる。
【００１０】
[0016]照明モジュール４３０は、栓２１０に嵌合するように設計される。照明モジュール４３０は、電池などの電源４４０、照明源４５０、および制御盤４６０を含む。多くの実施形態において、照明源４５０は、ＬＥＤである。一部の実施形態では、照明モジュール４３０の両側にＬＥＤが含まれる。図に示されるように、ボール１００は、回路を完成させないように電池を分離する除去可能なタブを含んで包装され得る。
【００１１】
[0017]図５は、栓２１０の破断図を示す。示されるように、ＴＰＲ部分４１０は、ポリカーボネート部分４２０（第１の内側カプセルとも呼ばれる）と相互接続される。これは、典型的には、恒久的な取付けを実現するために行われる。ポリカーボネート部分４２０は、栓２１０を回転させて相反的なねじ部分に取り付けまたそこから取り外す目的でトルクを提供するためにねじ回しがくぼみ２２０および切欠き部５１０に挿入され得るように、ねじ回し用切欠き部５１０を含む。照明モジュール４３０は、空洞５２０に挿入される。図から知ることができるように、ポリカーボネート部分４３０は、おおよそ蓋の形をなし得る相反的なねじ部分と係合する。蓋６１０（第２の内側カプセルとも呼ばれる）は、図６および７に示される。これは、水または他の物質が照明モジュール４３０に影響しないようにする気密瓶を提供する。図６および７は、例示的な蓋６１０が空洞２３０に配置される方法を示す。
【００１２】
[0018]制御盤４６０は、照明源４５０の作動を制御する。これは、典型的には、加速事象を検出することに従って起こる。１つの実施形態では、制御盤４６０は、加速度計を含む。多くの実施形態において、制御盤４６０は、２つの加速度計を含む。制御盤４６０および加速度計は、照明源を作動および作動停止させるために協働し得る。１つの実施形態では、ボール１００が十分な加速を受けると、制御盤４６０が照明源４５０を作動させ得る。典型的には、加速度レベルは、単純にボールを移動させることによってボールが作動されることがないように、ある程度高めに設定される。１つの実施形態では、制御盤は、７．６２ｃｍ（３インチ）から６０．９６ｃｍ（２フィート）程度の高さまたはより高いところから硬い表面にボール１００を落とすことにより衝撃を受けたときにボール１００を作動させるように設定される。当業者であれば理解するであろうように、システムは、様々な加速状況下で作動を提供するように設定され得る。
【００１３】
[0019]いくつかの実施形態では、制御盤４６０は、ボールが１メートル以上の高さから落とされた場合に照明源を作動させる。これは、ボールが動物に噛まれた場合に損傷し得る外部スイッチの必要性を排除する。受ける衝撃は、使用者がボールを手のひらに強く打ち付けるのに似ている。したがって、デバイスは、跳ねることなく作動され得る。作動の後、照明源は、５分間の周期にわたって第１の作動状態を維持する。この期間は、当然ながら例示的なものにすぎない。第１の作動状態の間、使用者が再度必要なトルクをボールに印加すると、５分間の期間がリセットされる（第１の作動状態の期間）。５分間のうちにシステムを作動させるほどの十分な衝撃を受けなかった場合、制御盤４６０は、第２の作動状態に移行する。この状態では、照明源は、作動停止するまで５分間にわたって急速に点滅する。１メートル以上の高さからの落下に似た衝撃を与えるほどの十分な任意の衝撃により、第１の作動状態が再び作動される。
【００１４】
[0020]ボールの電池残量が少ない場合、電池を交換する必要性の通知を使用者に提供するために、大きな衝撃を受けると、第１の作動状態を作動させる代わりに高速点滅が作動され得る。
【００１５】
[0021]これは単に作動方式の１つの例にすぎず、当業者には他の方式が思い浮かぶであろう。１つの方式の原理は、第１の水準の衝撃を受けるのに応じて第１の照明状態の作動を提供する。第１の照明状態は、第１の期間にわたって継続する。いかなる時でも第１の水準の衝撃が測定されれば、第１の期間はリセットされる。第１の期間のうちに衝撃を受けなかった場合、第２の照明状態が作動される。この状態は、第２の期間の終わりに達するまで、第２の期間にわたって継続する。この時点で、デバイスの電源が切れる。これは単に動作の例示的な方法にすぎず、いくつかの実施形態では、第２の照明状態が作動され得ず、その代わりに、システムは、単に第１の期間の終わりに電源が切れ得る。
【００１６】
[0022]本明細書で説明された特徴に加えて、システムのねじの相互接続および保護により、ボールは、ＩＰＸ８の耐水度と見なされ得る。さらに、システムは、浮いてもよい。
[0023]多くの実施形態において、システムの部品、特に制御盤は、マイクロプロセッサを含めて、デバイスに設けられる。本明細書で説明されたシステムおよび方法の様々な実施形態は、完全にまたは部分的に、ソフトウェアおよび／またはファームウェアにより実施され得る。このソフトウェアおよび／またはファームウェアは、非一時的コンピュータ可読記憶媒体内または非一時的コンピュータ可読記憶媒体上に含まれた命令の形態を取り得る。これらの命令は、本明細書で説明された動作の遂行を可能にするために、１つまたは複数のプロセッサによって読み取られかつ実行され得る。命令は、ソース・コード、コンパイル型コード、インタプリタ型コード、実行可能コード、静的コード、動的コード、などといった、しかしこれらに限定されない、任意の適切な形態であり得る。そのようなコンピュータ可読媒体は、読出し専用メモリ（ＲＯＭ）、ランダム・アクセス・メモリ（ＲＡＭ）、磁気ディスク記憶媒体、光学記憶媒体、フラッシュ・メモリ、などといった、しかしこれらに限定されない、１つまたは複数のコンピュータによって読取り可能な形態で情報を記憶するための任意の有形の非一時的媒体を含み得る。
【００１７】
[0024]特定の実施形態が、上記の詳細な説明で詳しく説明され、かつ、添付の部面で示されたが、本開示の全体的な教示および本開示の広範な発明概念を踏まえるとそれらの詳細に対する様々な修正形態および代替形態が開発され得ることが、当業者には理解されるであろう。したがって、本開示の範囲は、本明細書において開示された具体的な例および実施態様に限定されるものではなく、添付の特許請求の範囲によって定められる本発明の精神および範囲に含まれる修正形態、ならびにそのあらゆる均等物をカバーするように意図されていることが、理解される。
【図１】
2019506990.tif 000003
【図２】
2019506990.tif 000004
【図３】
2019506990.tif 000005
【図４】
2019506990.tif 000006
【図５】
2019506990.tif 000007
【図６】
2019506990.tif 000008
【図７】
2019506990.tif 000009
【国際調査報告】
2019506990.tif 000010